(57)【要約】      （修正有）【課題】従来の千両の葉っぱは常緑が主である。また、クリ−ム状の散り班のものもある。自然交配により発芽した今回申請の千両は模様が鮮明であり、熟すと赤くなる実（石果）を葉上に集合してつける。この千両を親花木とし、実を採取。同様の種が発芽するか否か生育を試みた。【解決手段】親花木から熟した実（石果）を採取。この実を育苗用の土に直播き。土が乾いたら水やりをする。陽光を避け木陰にて発芽・生育を試みた。この方法で発芽。生育も良。親花木と同一種であることを確認。名称を縞千両いずみとする。【選択図】なし【特許請求の範囲】
【請求項１】
特許申請の縞模様入り葉っぱの千両の原産は出水市紫尾山系が原産。自然交配にて発芽した。これを親花木とする。この親花木と、この親花木を基に育成される花木の全てを請求の範囲とする。
【請求項２】
名称について、縞千両  いずみで請求する。
【請求項３】
縞千両いずみという花木の全て（根・茎・枝・葉・実（石果）等）を請求の範囲とする。
【発明の詳細な説明】
【技術分野】
【０００１】  本品種は、花木千両（自然交配で成育した葉っぱに独特の縞状様の模様が入った千両  新品種）に関する。
【背景技術】
【０００２】  従来の千両（花木）は常緑の葉っぱが特徴である。また、葉っぱがクリーム色の散り班の物もある（日高姫）。が申請の本品種の葉っぱは縞状様を呈している。葉っぱに独特の縞状様の模様が入った千両【０００３】  なお、本願発明に関連する公知技術として次の特許文献１及び非特許文献１を挙げることができる。【０００４】
【特許文献１】  特許電子図書館にて検索  確当文献０
【非特許文献１】  「万有百科大辞典１９（文献名）」Ｐ３６６
【非特許文献２】  「原色野草検索図鑑  離弁花編（文献名）」Ｐ４０
【非特許文献３】  「千両  日高姫」ホームページ検索
【発明の開示】
【発明が解決しようとする課題】
【０００５】  上述のごとく、従来の千両の葉っぱは常緑が主である。また、クリーム状の散り班のものもある。自然交配により発芽した今回申請の千両は模様が鮮明で一葉上での色の違いは明らかである。これを親花木とし、同様の種が発芽するか否か生育を試みた。結果、親花木と同様の種の発芽を確認。常緑の千両は、前栽の花木として生け花用切花として人の知るところである。今回申請の縞千両いずみはその葉っぱの特徴から珍重され市場での価値は高いと思われる。
【課題を解決するための手段】
【０００６】  親花木から、同様の種が発芽するか否かを試みた。親花木から実（石果）を採取。採取した実を直播き。発芽・生育を試みる。親花木と同様の植物に生育するか否か確認。
【発明の効果】
【０００７】  常緑の千両は、前栽の花木として生け花用切花として人の知るところである。常緑の千両が凛とした花木であるとするなら縞千両いずみは木漏れ日の暖かさを感じさせる。現在市場には常緑の千両が出回っている。縞千両いずみが市場に出ることで珍重され利用価値について常緑の千両とあいまって相乗効果が期待できる。
【発明を実施するための最良の形態】
【０００８】  親花木から、同様の種が発芽するか否かを試みた。親花木から実（石果）を採取。採取した実を直播き。発芽・生育を試みる。親花木と同様の植物に生育するか否か確認。
親花木から熟した実（石果）を採取。この実を育苗用の土に直播き。土が乾いたら水やりをする。陽光を避け木陰にて発芽・生育を試みた。この方法で発芽。生育も良。親花木と同一種である事を確認する。
【実施例】
【０００９】２００１年１２月下旬    自然交配種  確認
２００２年  ４月中旬      種蒔（石果）
２００４年参考    １２０個の種を蒔き７５本が発芽
２００５年現在    これまでに１００本の発芽確認。生育中
また、３５０個の種を蒔いている。
発芽した葉っぱは全て（１００％）親花木と同様の縞模様入りである。
【産業上の利用可能性】
【００１０】  常緑の千両は、前栽の花木として生け花用切花として人の知るところである。常緑の千両が凛とした花木であるとするなら縞千両いずみは木漏れ日の暖かさを感じさせる。現在市場には常緑の千両が出回っている。縞千両いずみが市場に出ることで珍重され利用価値について常緑の千両とあいまって相乗効果が期待できる。
2006288372.tif 000002
2006288372.tif 000003
【手続補正書】
【提出日】平成17年7月5日(2005.7.5)
【手続補正１】
【補正対象書類名】明細書
【補正対象項目名】全文
【補正方法】変更
【補正の内容】
【発明の詳細な説明】
【技術分野】
【０００１】  本品種は、花木千両（自然交配で成育した葉っぱに独特の縞状様の模様が入った千両  新品種）に関する。
【背景技術】
【０００２】  従来の千両（花木）は常緑の葉っぱが特徴である。また、葉っぱがクリーム色の散り班の物もある（日高姫）。が申請の本品種の葉っぱは縞状様を呈している。葉っぱに独特の縞状様の模様が入った千両【０００３】  なお、本願発明に関連する公知技術として次の特許文献１及び非特許文献１を挙げることができる。【０００４】
【特許文献１】  特許電子図書館にて検索  確当文献０
【非特許文献１】  「万有百科大辞典１９（文献名）」Ｐ３６６
【非特許文献２】  「原色野草検索図鑑  離弁花編（文献名）」Ｐ４０
【非特許文献３】  「千両  日高姫」ホームページ検索
【発明の開示】
【発明が解決しようとする課題】
【０００５】  上述のごとく、従来の千両の葉っぱは常緑が主である。また、クリーム状の散り班のものもある。自然交配により発芽した今回申請の千両は模様が鮮明で一葉上での色の違いは明らかである。これを親花木とし、同様の種が発芽するか否か生育を試みた。結果、親花木と同様の種の発芽を確認。常緑の千両は、前栽の花木として生け花用切花として人の知るところである。今回申請の縞千両いずみはその葉っぱの特徴から珍重され市場での価値は高いと思われる。
【課題を解決するための手段】
【０００６】  親花木から、同様の種が発芽するか否かを試みた。親花木から実（石果）を採取。採取した実を直播き。発芽・生育を試みる。親花木と同様の植物に生育するか否か確認。
【発明の効果】
【０００７】  常緑の千両は、前栽の花木として生け花用切花として人の知るところである。常緑の千両が凛とした花木であるとするなら縞千両いずみは木漏れ日の暖かさを感じさせる。現在市場には常緑の千両が出回っている。縞千両いずみが市場に出ることで珍重され利用価値について常緑の千両とあいまって相乗効果が期待できる。
【発明を実施するための最良の形態】
【０００８】  親花木から、同様の種が発芽するか否かを試みた。親花木から実（石果）を採取。採取した実を直播き。発芽・生育を試みる。親花木と同様の植物に生育するか否か確認。
親花木から熟した実（石果）を採取。この実を育苗用の土に直播き。土が乾いたら水やりをする。陽光を避け木陰にて発芽・生育を試みた。この方法で発芽。生育も良。親花木と同一種である事を確認する。
【実施例】
【０００９】２００１年１２月下旬    自然交配種  確認
２００２年  ４月中旬      種蒔（石果）
２００４年参考    １２０個の種を蒔き７５本が発芽
２００５年現在    これまでに１００本の発芽確認。生育中
また、３５０個の種を蒔いている。
発芽した葉っぱは全て（１００％）親花木と同様の縞模様入りである。
【産業上の利用可能性】
【００１０】  常緑の千両は、前栽の花木として生け花用切花として人の知るところである。常緑の千両が凛とした花木であるとするなら縞千両いずみは木漏れ日の暖かさを感じさせる。現在市場には常緑の千両が出回っている。縞千両いずみが市場に出ることで珍重され利用価値について常緑の千両とあいまって相乗効果が期待できる。